(57)【特許請求の範囲】
【請求項１】
貯蔵室の前面開口を複数枚の引き戸式扉にて開閉自在に閉塞すると共に、前記開口を閉じた状態において各扉が重合する位置の後側に対応する前記貯蔵室内に上下に渡る支柱を設置し、この支柱には棚を架設してなるショーケースにおいて、
前記支柱の後面には平面型蛍光ランプを取り付けると共に、前記貯蔵室の開口縁には扉枠が設けられ、前記扉はこの扉枠内に取り付けられると共に、この扉枠の後面には平面型蛍光ランプを取り付けたことを特徴とするショーケース。
【発明の詳細な説明】
【０００１】
【発明の属する技術分野】
本発明は、断熱壁内に商品を陳列するための貯蔵室を構成し、この貯蔵室内又はショーケース自体を照明する照明装置を備えたショーケースに関するものである。
【０００２】
【従来の技術】
従来この種ショーケースは、例えば特開平７−９１８２２号公報（Ｆ２５Ｄ２７／００）に示される如く、断面略コ字状の断熱壁の開口上縁に形成した吐出口から、開口下縁の吸込口に向けて冷気を吐出することにより、前記開口にエアーカーテンを形成すると共に、断熱壁にて囲繞された貯蔵室を所定温度に冷却している。そして、開口上縁の外側又は開口両側縁及び棚下などに複数の蛍光灯を取り付け貯蔵室内及びショーケース自体の照明を行っていた。
【０００３】
以下、図１１を用いて係る従来のショーケースの照明構造について説明する。図１１は、従来のショーケース１００の縦断側面図を示しており、１０１は断面略コ字状の断熱壁である。この断熱壁１０１の両側には、図示しない側壁が設けられていると共に、断熱壁１０１と側壁の内側には、貯蔵室１０３が形成されている。また、この貯蔵室１０３には、上下に渡って複数段の棚１０４・・が架設されている。
【０００４】
そして、この断熱壁１０１の開口上縁の外側には、透孔性のシェード１０５が設けられ、その内側には蛍光灯１０６が取り付けられ、ショーケース１００の前方の照明を行っている。また、前記側壁の前端にもシェード１０７が取り付けられ、そのシェード１０７の内側には蛍光灯１０８が取り付けられ、貯蔵室１０３内の照明及びショーケース１００の照明を行っている。更に、前記棚１０４の前部下面においても蛍光灯１０９が取り付けられ、棚１０４上に陳列された商品等を照明していた。
【０００５】
【発明が解決しようとする課題】
ところが、従来のショーケースは、照明装置として蛍光灯を使用していたため、それぞれの蛍光灯を収納するためのスペースを取り付け場所のそれぞれにおいて確保する必要があった。そのため、蛍光灯収納スペースが広く必要となり、その分だけ商品陳列スペースが縮小される問題があった。また、蛍光灯を取り付けるためには、両端に設けられたソケットも取り付けなければならず、リード線の配設も困難となり組立作業性が悪化すると共に、部品点数の増加と製造コストの高騰を招く問題があった。
【０００６】
特に、開口上縁の外側に取り付けられる蛍光灯は、顧客等の目に直接光が入ることを防止するため、シェードを取り付ける必要があった。そのため、シェードの内側に取り付けられる蛍光灯の脱着作業性及び組立作業性が悪化する問題があった。
【０００７】
また、貯蔵室内に取り付けられる蛍光灯については、貯蔵室内が所定温度に冷却されるため、蛍光灯の温度依存性により、通電される電力量に対する照度が低下する問題があった。
【０００８】
更に、蛍光灯は、短期間で経年劣化による点灯不良が生じるため、蛍光灯の交換作業などのメンテナンスが煩雑となる問題があった。
【０００９】
そこで、本発明は従来の技術的課題を解決するために成されたものであり、商品収納スペースを拡大することができると共に、メンテナンスの容易な照明装置を備えたショーケースを提供することを目的とするものである。
【００１０】
【課題を解決するための手段】
本発明のショーケースは、貯蔵室の前面開口を複数枚の引き戸式扉にて開閉自在に閉塞すると共に、開口を閉じた状態において各扉が重合する位置の後側に対応する貯蔵室内に上下に渡る支柱を設置し、この支柱には棚を架設してなるものであって、支柱の後面には平面型蛍光ランプを取り付けると共に、貯蔵室の開口縁には扉枠が設けられ、扉はこの扉枠内に取り付けられると共に、この扉枠の後面には平面型蛍光ランプを取り付けたことを特徴とする。
【００１１】
本発明によれば、貯蔵室の前面開口を複数枚の引き戸式扉にて開閉自在に閉塞すると共に、開口を閉じた状態において各扉が重合する位置の後側に対応する貯蔵室内に上下に渡る支柱を設置し、この支柱には棚を架設してなるショーケースにおいて、支柱の後面には平面型蛍光ランプを取り付けたので、貯蔵室内は前面より上下に渡って照明されるため、棚上に陳列された商品を効果的に照明することができるようになる。また、幅寸法の狭い平面型蛍光ランプを取り付けることにより照明を行うため、照明装置を取り付けるためのスペースを特に確保する必要がなく、十分に棚面積を確保することができ、陳列商品を増加させることができるようになる。更に、平面型蛍光ランプは、熱負荷とならないため、照明される商品を加熱することが無く、ショーケース全体の冷却効率を向上させることができるようになる。
【００１２】
更に、貯蔵室の開口縁には扉枠が設けられ、扉はこの扉枠内に取り付けられると共に、扉枠の後面には平面型蛍光ランプを取り付けたので、貯蔵室内前方から棚に向けて照明が取り付けられるため、棚商品を効果的に照明することができるようになる。また、平面型蛍光ランプは薄いため、貯蔵室内の商品陳列スペースを有効に使用することができるようになる。
【００１３】
【発明の実施の形態】
次に、図面に基づき本発明の実施例を詳述する。図１は本発明のショーケース１の斜視図、図２はショーケース１の縦断側面図をそれぞれ示している。本発明のショーケース１は断面略コ字状の断熱壁２と、この断熱壁２の両側に取り付けられた側板３、３とから構成されている。断熱壁２の内側にはそれぞれ間隔を存して仕切板４が取り付けられ、この仕切板４と断熱壁２間をダクト７としている。
【００１４】
仕切板４の底部には底板としてのデックパン９が設けられており、これら仕切板４及びデックパン９の内側を貯蔵室１１としている。断熱壁２の前面開口１２の上縁にはハニカム材１３が取り付けられた吐出口１６が設けられており、この吐出口１６に対向して開口の下縁には吸込口１８が設けられており、これら吐出口１６及び吸込口１８はそれぞれダクト７に連通している。
【００１５】
一方、断熱壁２の底壁２Ａ上にファンケース２３が設置されており、このファンケース２３には送風機２４が取り付けられている。仕切板４後方のダクト７内には冷却装置の冷却器２７が縦設されており、前記送風機２４が運転されると冷却器２７と熱交換した冷気はダクト７内を上昇せられ、吐出口１６より吸込口１８に向かって吐出される。そして、吸込口１８から吸い込まれた冷気は再び送風機２４によって加速される。これによって、開口１２にはエアーカーテンが形成され、冷気エアーカーテンの一部が貯蔵室１１内に循環されて貯蔵室は冷却される。
【００１６】
貯蔵室１１の両側背部には支柱２８が位置しており、この支柱２８の後辺の前面には所定間隔で係合孔２９が複数形成されている。この係合孔２９・・には複数のブラケット３１・・の後端が着脱自在に係合されており、左右一対のブラケット３１、３１上にはそれぞれ棚３２が取り付けられて貯蔵室１１内に架設されている。
【００１７】
また、断熱壁２の底壁２Ａの下方には、機械室３が形成されており、この機械室３内には前記冷却器２７と所謂冷媒サイクルを形成する凝縮器３０及び図示しない圧縮機等が設けられている。また、この凝縮器３０の後方には、凝縮器用送風機３３が取り付けられており、機械室３前面には、グリル５が形成され、グリル５より吸気され、後方より廃熱が外部に排出される（図２参照）。
【００１８】
他方、断熱壁２の天壁２Ｂの前端には、取付板３４が取り付けられており、この取付板３４は断熱壁２の天面から断熱壁２の前面及び吐出口１６前面を被覆するように構成されている。そして、取付板３４の前面には、図３に示す如く前面に開口した凹所３６が形成されており、この凹所３６には、平面型蛍光ランプ３５が取り付けられる。
【００１９】
ここで、図１０を参照して平面型蛍光ランプ３５について詳述する。平面型蛍光ランプ３５は、成形ガラス４１及び板ガラス４２によりガラス容器を形成し、このガラス容器の底面及び天面の内側には蛍光体４３、４３が配され構成されているている。さらにガラス容器内の相対向する一対の側面には放電電極４４、４４が配設され、この放電電極４４、４４には図示しない電極リードが接続される。また、ガラス容器内はほぼ真空とされ、微量の水銀蒸気（Ｈｇ）や例えばアルゴン（Ａｒ）などの微量の希ガスが封入される。
【００２０】
そして、前記電極リードに図示しない配線によって交流電源を接続し、放電電極４４、４４間は放電させると、加速された電子４６が水銀（Ｈｇ）やアルゴン（Ａｒ）分子に衝突し、エネルギー準位が基底状態から励起状態に変化する。この励起された分子又は原子が基底状態に戻るときに、各分子特有の紫外線が放射され、この紫外線が前記蛍光体４３、４３に当たる際に可視光として板ガラス４２表面より放出される。これにより、平面型蛍光ランプ３５の表面から例えば乳白色の所定の照度を得ることができる。また、この平面型蛍光ランプは、例えば縦寸法が５０ｍｍ、横寸法が３００ｍｍ、幅寸法が約１０ｍｍのものであり、配設場所に応じて複数枚並設される。しかしながら、平面型蛍光ランプの強度を考慮しないのであれば、どのような大きさでも可能である。
【００２１】
以上の構成により、断熱壁２の前面には、上述の如き平面型蛍光ランプ３５は幅寸法が約１０ｍｍと薄いため、従来の如く、蛍光灯を取り付けるスペースを要することなく、ショーケース１前面を照明する照明装置を設けることができるようになる。これにより、冷気の吐出口１６から前方に突出する取付板３４の幅寸法を小さくでき、これに伴って、貯蔵室１１内の拡大を図ることが可能となる。
【００２２】
また、平面型蛍光ランプ３５は、蛍光灯を照明装置として配設する場合と異なり、取付部材を簡素化することができ、組立作業性の向上を図ることができると共に、コストの軽減を図ることができる。また、平面型蛍光ランプ３５は表面より乳白色の光を放出するため、特にシェードを前面に設ける必要が無く、コストの軽減を図ることができる。尚、平面型蛍光ランプ３５の前面に文字や好みの色のシェードを取り付ける装飾を行い商品の展示販売効果を向上させることもでき顧客の購買意欲を増加させることができるようになる。
【００２３】
更に、平面型蛍光ランプ３５は、従来の如き蛍光灯と比較して低温特性が優れているため、低温ショーケースの如く、比較的低温の環境で使用しても、照度の低下を未然に回避することができる。
【００２４】
更にまた、平面型蛍光ランプ３５は、表面に熱を持たないため、顧客等が手指で触れた場合にも、火傷などの損傷を負う問題が無く、安全性に優れていると共に、冷気吐出口１６付近において、熱負荷とならないため、冷却効率の向上を図ることができる。また、平面型蛍光ランプ３５は、内部がほぼ真空とされているため、断熱効果があり、表面に結露が発生することを未然に防止することができるようになる。そのため、従来の如く、結露防止のために発熱体としてのヒータを取り付ける必要がなくなり、コストの低減を図ることができるようになる。
【００２５】
また、平面型蛍光ランプ３５は、蛍光灯と比較して著しく耐用年数が長いため、点灯不良による蛍光灯の交換等のメンテナンスを行う煩雑な作業を回避することができるようになる。
【００２６】
一方、図４は前記側板３の平断面図を示している。前記側板３は、２枚のガラス板３Ａ及び３Ｂにより構成されており、この側板３の前端には、上下に渡って取付具４６が取り付けられている。この取付具４６は、側板３の前端を保持するための側板３側に開口を有する断面略コ字状の保持部４７と、貯蔵室１１側に開口を有する断面略コ字状の取付部４８とにより構成されている。この取付部４８は、開口面の両端がそれぞれ内方に向かって少許折曲されて形成されている。そして、この取付具４６の取付部４８の開口面には前記平面型蛍光ランプ３５と同様の平面型蛍光ランプ４９が収納される。
【００２７】
これにより、貯蔵室１１は側板３、３の前端に取り付けられた平面型蛍光ランプ４９、４９により、側方から照明を得ることができるようになる。従来の如く蛍光灯及び蛍光灯を被覆するシェード等を設けるスペースを要することなく、わずかな幅寸法にて、貯蔵室１１内を側方から照明することができる。そのため、貯蔵室１１の側端部に載置された商品がシェード等により隠蔽されることなく、貯蔵室１１に陳列することが可能となる。
【００２８】
尚、本実施例においては、平面型蛍光ランプ４９は、取付具４６にて側板３の前端に取り付けられる例を示しているが、側板３の内面側を構成するガラス板３Ｂを平面型蛍光ランプとしても良い。また、側板３の内面側のガラス板３Ｂと外面側のガラス板３Ｃの間に平面型蛍光ランプを設けても良い。
【００２９】
他方、図５は前記棚３２の縦断側面図を示している。棚３２の前面には、値札などを保持するためのプライスレール５０が取り付けられており、このプライスレール５０の下面には、内方に開口を有する断面略コ字状の取付具５１が取り付けられている。また、棚３２の前部下面であって、前記取付具５１の後方には、下方に開口を有する断面略コ字状の取付具５２が取り付けられている。これら取付具５１、５２の開口面の両端は、それぞれ内方に向かって少許折曲されて形成されている。そして、この取付具５１、５２の開口面には、前記平面型蛍光ランプ３５と同様の平面型蛍光ランプ５３、５４がそれぞれ収納されている。ここで、平面型蛍光ランプ５３の縦及び横寸法は、前記平面型蛍光ランプ４９よりも小さくても良い。尚、図２においては、最上段以外の棚３２においては平面型蛍光ランプ５３、５４は省略している。
【００３０】
これにより、棚３２の下面には、下方の棚３２上に向かって上方及び前方から平面型蛍光ランプ５３、５４を取り付けたので、棚３２上の商品を効果的に照明することができるようになる。従来の如く蛍光灯により、下方の棚を照明する場合と比して、蛍光灯を配設するためのスペースを要することなく、わずかな幅寸法にて、下方の棚３２上を照明することができる。そのため、各棚３２間の寸法を拡大することができるようになる。
【００３１】
また、平面型蛍光ランプ５３、５４は、上記平面型蛍光ランプ３５と同様に熱負荷とならないため、棚３２上に陳列された商品に熱を加えることがないため、冷却効率を向上させることができるようになる。更に、従来の蛍光灯による照明装置の場合は、棚数が多くなると、熱負荷が大きくなり圧縮機の能力を拡大する必要があったが、本発明によれば、熱負荷とならないため、圧縮機の能力を拡大することなく、冷却運転を行うことができ、経済面においても優れている。
【００３２】
更に、前記取付具５１又はプライスレール５０は、透孔性のある素材にて形成すると棚の前面を照明することができるようになり、より一層顧客等にアピールすることができるようになる。
【００３３】
次に図６を参照してショーケース１の下部を詳述する。図６は貯蔵室１１下方の縦断側面図を示している。前述の如く断熱壁２の底壁２Ａ上方にはダクト用の間隔を存してデックパン９が取り付けられ、このデックパン９の前方には冷気の吸込口１８が設けられている。ここで、デックパン９の前端と吸込口１８の間には、左右方向に開口５５が形成されており、この開口５５には、上方を照明するように前記平面型蛍光ランプ３５と同様の平面型蛍光ランプ５６が取り付けられている。このとき、平面型蛍光ランプ５６の上面は、デックパン９の上面と略面一となるように取り付ける。
【００３４】
これにより、貯蔵室１１内は、下方より平面型蛍光ランプ５６による照明を行うため、効果的に棚３２及びデックパン９上に陳列された商品を照明することができ、ディスプレイ効果を向上させることができる。また、平面型蛍光ランプ５６は、熱負荷とならないため、デックパン９上に陳列された商品を加熱することがないため、冷却効率を向上させることができる。更に、平面型蛍光ランプ５６は、冷気の吸込口１８付近であっても、ほぼ温度依存性なく低温特性に優れているため照度の低下は回避される。
【００３５】
一方、断熱壁２の開口１２下縁には、ハンドレール５７が形成されている（図２では図示しない）。このハンドレール５７は前端から後方に向けて低く形成されていると共に、左右に渡って開口５８が形成されている。この開口５８には、前記平面型蛍光ランプ３５と同様の平面型蛍光ランプ５９が取り付けられる。尚、平面型蛍光ランプ５９の縦及び横寸法は、前記平面型蛍光ランプ４９よりも小さくても良い。
【００３６】
これにより、貯蔵室１１内は、ハンドレール５７に取り付けられた平面型蛍光ランプ５９により、前方下方より照明することができるため、陳列された商品をより一層効果的に照明することができる。
【００３７】
また、断熱壁２の開口１２下縁を縁取る前下壁の前面、即ち底壁２Ａの前面には、前面に開口した凹所６０が形成されており、この凹所６０には、前記平面型蛍光ランプ３５と同様の平面型蛍光ランプ６１が取り付けられる（図２では図示しない）。
【００３８】
これにより、ショーケース１の下方からも照明を行うことができるため、展示販売効果を向上させることができる。尚、平面型蛍光ランプ６１の縦及び横寸法は、前記平面型蛍光ランプ４９よりも大きくても良い。
【００３９】
次に、図７乃至図９を参照して他の実施例のショーケース７０を説明する。図７はショーケース７０の斜視図、図８はショーケース７０上部の縦断側面図、図９はショーケース７０の平断面図である。本実施例のショーケース７０は図７に示す如く前面に開口した断熱壁７１より構成されており、この断熱壁７１内には貯蔵室７２が構成される。また、貯蔵室７２内には商品を陳列するための棚７７・・が上下に渡って複数段架設されている。そして、この貯蔵室７２上部後方には冷却装置の冷却器７５が設けられ、この冷却器７５の前方には送風機７６が設置されており、これら冷却器７５及び送風機７６は、仕切板８０により貯蔵室７２と区画されている。この仕切板８０の送風機７６が対応する位置には、開口８１が形成されており、冷却器７５からの冷気を送風機７６にて強制循環することによって貯蔵室７２内は所定の温度に冷却される。
【００４０】
そして、貯蔵室７２の前面開口７３縁には扉枠７８がそれぞれ取り付けられており、この扉枠７８には引き戸式のガラス扉７４、７４が取り付けられ、前面開口７３を開閉自在に閉塞している。ここで、開口７３の上縁に取り付けられた扉枠７８の貯蔵室７２側には、左右に渡って上記実施例の平面型蛍光ランプ３５と同様の平面型蛍光ランプ７９が取り付けられる。
【００４１】
これにより、ショーケース７０内は、開口上縁の扉枠に平面型蛍光ランプ７９が取り付けられるため、貯蔵室７２内前方から棚７７に向けて照明が取り付けられるため、棚７７上の商品を効果的に照明することができるようになる。また、平面型蛍光ランプ７９は、幅寸法が約１０ｍｍと薄いため、貯蔵室７１内の商品陳列スペースを有効に使用することができるようになる。
【００４２】
そして、この仕切板８０の前方であって、断熱壁７１の天壁７１Ａの前部には左右に渡って上記実施例の平面型蛍光ランプ３５と同様の平面型蛍光ランプ８２が貯蔵室７１内方に向かって取り付けられる。
【００４３】
これにより、貯蔵室７１内は天壁７１Ａの前部より下方に向けて照明が取り付けられるため、貯蔵室７１内に陳列された商品を効果的に照明することができるようになる。また、平面型蛍光ランプ８２は幅寸法が狭いため、従来の如く蛍光灯を取り付ける場合と比較して、特に照明を収納するスペースを必要としないため、有効に貯蔵室７１内を使用することができるようになる。
【００４４】
また、従来の蛍光灯を取り付ける場合のように取り付け部品はほとんど必要でないため、備品点数を削減することができると共に、組立作業性を向上させることができるようになる。
【００４５】
一方、貯蔵室７１の前面開口を開閉自在に閉塞する扉７４、７４を閉じた状態において各扉７４、７４が重合する位置の後側に対応する位置には、上下に渡って前記棚７７を支持するための支柱８４が設置されている。この支柱８４の後面には上下に渡って貯蔵室７１内を照明するための上記実施例の平面型蛍光ランプ３５と同様の平面型蛍光ランプ８５が取り付けられている。
【００４６】
これにより、貯蔵室７１内は前面より上下に渡って照明されるため、棚７７・・上に陳列された商品を効果的に照明することができるようになる。また、幅寸法の狭い平面型蛍光ランプ８５を取り付けることにより照明を行うため、照明装置を取り付けるためのスペースを特に確保する必要がないため、十分に棚面積を確保することができ、陳列商品を増加させることができるようになる。更に、平面型蛍光ランプ８５は、熱負荷とならないため、照明される商品を加熱することが無く、ショーケース７０全体の冷却効率を向上させることができるようになる。
【００４７】
尚、本実施例においても、断熱壁７１の前面に平面型蛍光ランプ８３を取り付けても良い。
【００４８】
上記において、ショーケース１又は７０に照明装置として平面型蛍光ランプを使用しているが、平面型蛍光ランプは、業務用冷却貯蔵庫や家庭用冷却貯蔵庫に使用しても良い。
【００４９】
特に、上面に開口を有する図示しないアイスクリーム用ショーケースにおいて、開口奥の天壁の下面に前記平面型蛍光ランプ３５と同様の平面型蛍光ランプを取り付け、開口を開閉自在に塞ぐガラス扉が開放された際に、貯蔵室内を照明しても良い。また、このショーケースにおいて、天壁上の広告用の蛍光灯を平面型蛍光ランプを取り付けても良い。
【００５０】
【発明の効果】
以上詳述した如く本発明によれば、貯蔵室の前面開口を複数枚の引き戸式扉にて開閉自在に閉塞すると共に、開口を閉じた状態において各扉が重合する位置の後側に対応する貯蔵室内に上下に渡る支柱を設置し、この支柱には棚を架設してなるショーケースにおいて、支柱の後面には平面型蛍光ランプを取り付けたので、貯蔵室内は前面より上下に渡って照明されるため、棚上に陳列された商品を効果的に照明することができるようになる。また、幅寸法の狭い平面型蛍光ランプを取り付けることにより照明を行うため、照明装置を取り付けるためのスペースを特に確保する必要がなく、十分に棚面積を確保することができ、陳列商品を増加させることができるようになる。更に、平面型蛍光ランプは、熱負荷とならないため、照明される商品を加熱することが無く、ショーケース全体の冷却効率を向上させることができるようになる。
【００５１】
更に、貯蔵室の開口縁には扉枠が設けられ、扉はこの扉枠内に取り付けられると共に、扉枠の後面には平面型蛍光ランプを取り付けたので、貯蔵室内前方から棚に向けて照明が取り付けられるため、棚商品を効果的に照明することができるようになる。また、平面型蛍光ランプは薄いため、貯蔵室内の商品陳列スペースを有効に使用することができるようになる。
【図面の簡単な説明】
【図１】  本実施例のショーケースの斜視図である。
【図２】  本実施例のショーケースの縦断側面図である。
【図３】  本実施例のショーケースの吐出口付近の縦断側面図である。
【図４】  本実施例のショーケースの側板の平断面図である。
【図５】  本実施例のショーケースの棚の縦断側面図である。
【図６】  本実施例のショーケースの下部の縦断側面図である。
【図７】  他の実施例のショーケースの斜視図である。
【図８】  図７のショーケースの上部の縦断側面図である。
【図９】  図７のショーケースの平断面図である。
【図１０】  平面型蛍光ランプの構造説明図である。
【図１１】  従来のショーケースの縦断側面図である。
【符号の説明】
１、７０  ショーケース
２、７１  断熱壁
１１、７２  貯蔵室
１２、７３  開口
３２、７７  棚
３４  取付板
３５、４９、５３、５４、５６、５９、６１、７９、８２、８３  平面型蛍光ランプ
３６、６０  凹所
４１  成形ガラス
４２  板ガラス
４３  蛍光体
４４  放電電極
４６、５１、５２  取付具
４７  保持部
４８  取付部
７８  扉枠
８４  支柱
【図１】
0004049486.tif 000002
【図２】
0004049486.tif 000003
【図３】
0004049486.tif 000004
【図４】
0004049486.tif 000005
【図５】
0004049486.tif 000006
【図６】
0004049486.tif 000007
【図７】
0004049486.tif 000008
【図８】
0004049486.tif 000009
【図９】
0004049486.tif 000010
【図１０】
0004049486.tif 000011
【図１１】
0004049486.tif 000012